(57)【要約】【課題】本発明の課題は、意匠性が向上するとともに、デザインの自由度が増し、かつ再設計の必要がない無線ＩＣタグの取り付け構造を提供する。【解決手段】本発明に関わる無線ＩＣタグの取り付け構造は、情報を記録するＩＣチップ３と、該ＩＣチップ３に接続され無線で情報を送信または受信する第１のアンテナ１とを備える無線ＩＣタグＴの取り付け構造であって、インピーダンスマッチングを行う第１空隙１ｓを有し、ＩＣチップ３、第１空隙１ｓ、および第１のアンテナ１に、第２空隙２ｓを有する導電性の第２のアンテナ２が重ねて配置されている。【選択図】図１
2010124274.tif 000002
【特許請求の範囲】
【請求項１】
情報を記録するＩＣチップと、該ＩＣチップに接続され無線で前記情報を送信または受信する第１のアンテナとを備える無線ＩＣタグの取り付け構造であって、
前記第１のアンテナは、インピーダンスマッチングを行う第１空隙を有し、
前記ＩＣチップ、前記第１空隙、および前記第１のアンテナに、第２空隙を有する導電性の第２のアンテナが重ねて配置される
ことを特徴とする無線ＩＣタグの取り付け構造。
【請求項２】
前記第２のアンテナは、
前記第２空隙により、少なくとも２つの部分に分割されるか、または、一部の接続部を残して分割される
ことを特徴とする請求項１に記載の無線ＩＣタグの取り付け構造。
【請求項３】
前記第２空隙は、複数形成される
ことを特徴とする請求項１または請求項２に記載の無線ＩＣタグの取り付け構造。
【請求項４】
前記第２のアンテナは、分割された一方の前記第２のアンテナが、前記第２空隙を介在させて、分割された他方の前記第２のアンテナの周囲の一部を囲んで形成される
ことを特徴とする請求項２に記載の無線ＩＣタグの取り付け構造。
【請求項５】
前記第１のアンテナは、前記第２のアンテナと対向する面積を増加させるように、曲った形状を有する
ことを特徴とする請求項１から請求項４のうちの何れか一項に記載の無線ＩＣタグの取り付け構造。
【請求項６】
前記第２のアンテナにおける第２空隙は、互いに略直角方向に延在する第２空隙１と第２空隙２とを有し、
前記第１のアンテナは、前記第２空隙１と前記第２空隙２と前記第２のアンテナとに重なって配置される
ことを特徴とする請求項４または請求項５に記載の無線ＩＣタグの取り付け構造。
【請求項７】
前記無線ＩＣタグは、管理媒体外または管理媒体内に配置され、
前記第２のアンテナは、ホログラムの金属蒸着膜である
ことを特徴とする請求項１から請求項６のうちの何れか一項に記載の無線ＩＣタグの取り付け構造。
【請求項８】
前記第２のアンテナは、前記無線ＩＣタグに対して、利用者に目視される側に配置される
ことを特徴とする請求項１から請求項７のうちの何れか一項に記載の無線ＩＣタグの取り付け構造。
【請求項９】
前記第２のアンテナを形成するホログラムの金属蒸着膜の一部は、断続的に該ホログラムの延在面に対して傾斜して形成される
ことを特徴とする請求項７または請求項８に記載の無線ＩＣタグの取り付け構造。
【請求項１０】
前記管理媒体は、紙媒体である
ことを特徴とする請求項７から請求項９のうちの何れか一項に記載の無線ＩＣタグの取り付け構造。
【請求項１１】
前記第２のアンテナの第２空隙は、両端部に形成される
ことを特徴とする請求項１から請求項１０のうちの何れか一項に記載の無線ＩＣタグの取り付け構造。
【請求項１２】
前記第２のアンテナの第２空隙は、前記第２のアンテナにおける対称若しくはほぼ対称な位置に形成される
ことを特徴とする請求項１１に記載の無線ＩＣタグの取り付け構造。
【発明の詳細な説明】
【技術分野】
【０００１】
本発明は、情報を無線で送受信する無線ＩＣタグに関し、特に、電波を送受信するアンテナ構造に係る無線ＩＣタグの取り付け構造に関する。
【背景技術】
【０００２】
近年、物品の情報管理や物流管理などに、情報の読み取り、書き込み等の可能な無線ＩＣタグが広汎に利用されている。
この無線ＩＣタグは、情報を記録するメモリをもつ微小なＩＣチップと、該ＩＣチップのメモリに記録された情報を無線で送信したり、伝送される電力、情報を受信する小さなアンテナとを有し構成されている。
【０００３】
この無線ＩＣタグは、例えば、細長いアンテナの中央部付近に縦・横寸法０．４ｍｍ、厚さ寸法０.１ｍｍ程度の小さなＩＣチップが取り付けられていて、物品等に貼り付けて使用することができる。そして、リーダ／ライタを無線ＩＣタグにかざせば、非接触でＩＣチップに記録されている情報を読み取り、個々の物品や動物を管理することができる。
図１６(ａ)、(ｂ)は、従来のダイポールアンテナを使用した無線ＩＣタグ１００とホログラムＨを物品１０９に取り付けた構成例を示す斜視図である。
【０００４】
無線ＩＣタグ１００のアンテナは、主に、ダイポールアンテナ(図１６(ａ)参照)が用いられている。
図１６(ａ)に示す無線ＩＣタグ１００は、基材である誘電体１０１と、誘電体１０１の表面長手方向にλ／２（半波長）の長さの放射導電体（アンテナ）１０２とを有しており、該放射導電体１０２のほぼ中央部に情報を記録するメモリをもつＩＣチップ１０３が搭載されている。
ここで、放射導電体１０２の中央部には、インピーダンスマッチングを行うための連続したＬ字状のスリット１０２ｓが形成されている。
【０００５】
このスリット１０２ｓの一端は、放射導電体１０２の短手方向の端縁部まで延在し、放射導電体１０２の短手方向の一方端を分離しており、このスリット１０２ｓを跨いでＩＣチップ１０３の接続端子（図示せず）が放射導電体１０２に接続されている。
なお、本願に係る文献公知発明として、特許文献１、２、３がある。
【特許文献１】特開２００５−３０９９８１１号公報
【特許文献２】特開２００６−３１１３７２号公報(段落００２１〜００２４、図４等)
【特許文献３】特開２００６−２５３９０号公報(段落００２２〜００２６、図４等)
【発明の開示】
【発明が解決しようとする課題】
【０００６】
ところで、昨今、物品の偽造防止にホログラムを物品上に付け、真贋を見分けることが行われている。
また、更に、物品の偽造防止効果をより高度にするため、ホログラムとともに無線ＩＣタグを物品に付すことが検討されつつある。
例えば、物品上にホログラムを付け、物品に付けたホログラムの上に無線ＩＣタグを付けることが考えられる。
しかし、この構成は、物品に付けた無線ＩＣタグが外部に露出するため、ユーザに視認されてしまい、意匠性に難がある。
【０００７】
そこで、図１６(ａ)に示すように、物品１０９上に無線ＩＣタグ１００を搭載し、物品１０９上の無線ＩＣタグ１００をホログラムＨで覆って構成することが考えられるが、放射導電体（アンテナ）１０２とＩＣチップ１０３の入出力インピーダンスが大きくずれ、無線ＩＣタグ１００に記録された情報の読取りができず、無線ＩＣタグとして動作しなってしまう。
そのため、放射導電体（アンテナ）１０２とホログラムＨの間隔を大きくすれば、無線ＩＣタグとして動作はするが、無線ＩＣタグ１００のシール厚さが厚くなり、実用的ではない。
【０００８】
そこで、図１６(ｂ)に示すように、ホログラムＨに開口ｇを形成し、このホログラムＨの開口ｇからＩＣチップ１０３およびインピーダンスマッチングするためのＬ字状スリット１０２ｓとを露出する構成がある(特許文献３の図４参照)が、ユーザに、ホログラムＨの開口ｇを介して、無線ＩＣタグ１００のＩＣチップ１０３およびＬ字状スリット１０２ｓが目視されるため、見映えが悪く、意匠性が劣るという新たな問題が表出する。
本発明は上記実状に鑑み、意匠性が向上するとともにデザインの自由度が増し、かつ再設計の必要がない無線ＩＣタグの取り付け構造の提供を目的とする。
【課題を解決するための手段】
【０００９】
上記目的を達成すべく、本発明に関わる無線ＩＣタグの取り付け構造は、情報を記録するＩＣチップと、該ＩＣチップに接続され無線で情報を送信または受信する第１のアンテナとを備える無線ＩＣタグの取り付け構造であって、第１のアンテナは、インピーダンスマッチングを行う第１空隙を有し、ＩＣチップ、第１空隙、および第１のアンテナに、第２空隙を有する導電性第２のアンテナが重ねて配置されている。
なお、第２の空隙は第２のアンテナを分割するものも含まれる。
【発明の効果】
【００１０】
本発明によれば、意匠性が向上してデザインの自由度が増し、かつ再設計の必要がない無線ＩＣタグの取り付け構造を実現できる。
【発明を実施するための最良の形態】
【００１１】
以下、本発明の実施形態について添付図面を参照して説明する。
＜＜第１実施形態＞＞
図１(ａ)は、本発明に係わる第１実施形態の無線ＩＣタグＴを物品Ｐ(図１(ｂ)に二点鎖線で示す)上に搭載した状態の上面図であり、図１(ｂ)は、図１(ａ)のＡ−Ａ線断面図であり、図１(ｃ)は、図１(ｂ)のＢ方向矢視図である。
【００１２】
＜無線ＩＣタグＴの概要＞
第１実施形態の無線ＩＣタグＴは、該無線ＩＣタグＴに記録される情報を、リーダ／ライタ(図示せず)で読み取ることにより物品Ｐの真贋の見分け等を行うために付けられるものである。
なお、図１に例示する無線ＩＣタグＴは、搭載されるＩＣチップ３が物品Ｐ側に取り付けられている(図１(ｂ)参照)。
物品Ｐに取り付けられる無線ＩＣタグＴの上(図１(ｂ)の上側)には、つまりユーザに目視される物品Ｐの最外部には、物品Ｐの装飾性、偽造防止性を向上させるホログラムＨ(Ｈ１、Ｈ２)(後記の第２のアンテナ)が取り付けられている。
【００１３】
図１(ａ)において、ホログラムＨ(Ｈ１、Ｈ２)の金属蒸着膜が最もユーザ側(図１(ａ)の紙面上側)に位置し、該金属蒸着膜が、ユーザにホログラム模様として目視されることになる。
ここで、ホログラムＨ(Ｈ１、Ｈ２)の導電性を有する金属蒸着膜が、無線ＩＣタグＴの後記する第２のアンテナ２として作用している。
【００１４】
無線ＩＣタグＴの取り付け構造としては、無線ＩＣタグＴの情報を受送信する第１のアンテナ１を装飾、認証用のホログラムＨ１、Ｈ２(第２のアンテナ２(２ａ、２ｂ))に重ねて配置するとともに、無線ＩＣタグＴのＩＣチップ３および第１のアンテナ１のＬ型スリット１ｓ(インピーダンス整合回路)をホログラムＨ１(２ａ)、Ｈ２(２ｂ)間のスロット２ｓに重ならないように配置している。
これにより、無線ＩＣタグＴに記録される情報をリーダ／ライタで確実に読み取ることができるとともに、ホログラムＨ１、Ｈ２間のスロット２ｓからＩＣチップ３および第１のアンテナ１のＬ型スリット１ｓが外部に露出しないので、ホログラムの装飾性を損ねることなく意匠性を向上することができる。
【００１５】
＜無線ＩＣタグＴ＞
無線ＩＣタグＴは、リーダ／ライタで読み取られる情報が記録されるＩＣチップ３と、ほぼ中央部にＩＣチップ３が電極を介して接続される第１のアンテナ１と、ＩＣチップ３を実装した第１のアンテナ１が搭載される絶縁体の基材４とを具え構成されている。
ダイポールアンテナである第１のアンテナ１の中央部にはインピーダンスマッチングを行うためのＬ型スリット１ｓが中央部に形成されている。
【００１６】
このＬ型スリット１ｓの一端は、第１のアンテナ１の短手方向の一方の端縁部まで延在し、第１のアンテナ１の短手方向の一方端を分離している。そして、このＬ型スリット１ｓの短手方向の一方の端縁部まで延在する箇所を跨いだ態様で、ＩＣチップ３の２つの電極（図示せず）が第１のアンテナ１に接続されている。
なお、Ｌ型スリット１ｓは、Ｔ型スリットでもよく、インピーダンスマッチングを行える形状であればよい。
【００１７】
無線ＩＣタグＴのＩＣチップ３は、例えば、第１のアンテナ１からの入力電圧からＩＣチップ３を保護するリミッタ回路と、第１のアンテナ１に入力される交流を直流に変換する整流回路と、リーダ・ライタから送信されるコマンド、データ等を「１」、「０」の信号列に戻す復調回路と、リーダ・ライタ(図示せず)へ送信データで搬送波を変調する変調回路と、情報の送受信、内部メモリへのリード、ライト等の制御を行なうための制御回路と、情報を記憶するメモリとを有している。
無線ＩＣタグＴの第１のアンテナ１は、ＰＥＴ(PolyEthilene  Terephthalate)フィルム等の基材４上に銅、アルミニュウム等をエッチング、銀などの導電性ペーストの印刷等で形成されている。
この構成により、リーダ／ライタ(図示せず)を用いて、無線によって、第１のアンテナ１を介して、無線ＩＣタグＴのメモリに記憶される情報を読み取り、または、無線ＩＣタグＴのメモリに情報を記録する。
【００１８】
＜第２のアンテナ２(２ａ、２ｂ)＞
図１に示すように、物品Ｐに取り付けられる無線ＩＣタグＴの基材４に隣接してホログラムＨ(Ｈ１、Ｈ２)が配置されている。
ホログラムＨは、ホログラムＨ１、Ｈ２間の空隙であるスロット２ｓを境に、ホログラムＨ１とホログラムＨ２とに分離されており、該空隙は、ホログラムＨ１、Ｈ２の短手方向の両端(図１(ａ)紙面の上下方向)が開放されている。
なお、スロット２ｓの幅寸法２ｓ１は、１００μｍである。なお、スロット２ｓの幅寸法２ｓ１は、広い方がアンテナの機能上、電気的には好ましいが、最低１００μｍ程度とればよい。なお、第２のアンテナ２のスロット２ｓは、電界または磁界の通り道である点で、インピーダンスマッチングを行う第１のアンテナ１のＬ型スリット１ｓとは役割が異なる。
【００１９】
ホログラムＨ１、Ｈ２(第２のアンテナ２)は、第１のアンテナ１に重ねて配置(図１(ａ)、(ｂ)参照)されるとともに、ホログラムＨ１、Ｈ２間のスロット２ｓがＩＣチップ３および第１のアンテナ１のＬ型スリット１ｓと重ならない位置に配置されている。
上記ホログラムＨ(Ｈ１、Ｈ２)は、例えば、ＰＥＴ等の基材の一方面側にエンボス、ライン等の凹凸を形成し、該凹凸部に金属蒸着膜を形成することにより、光の干渉により偽造防止性や装飾性を発揮している。なお、基材の凹凸は０．５〜２μｍ程度で光干渉効果を得られる。
【００２０】
このホログラムＨ(Ｈ１、Ｈ２)の良導体である金属蒸着膜は、例えば、アルミニュウム(Ａｌ)、金(Ａｕ)、銅(Ｃｕ)等を用いて形成され、無線ＩＣタグＴの第２のアンテナ２(２ａ、２ｂ)を構成している。
すなわち、ホログラムＨ１の金属蒸着膜は、第２のアンテナ２ａを構成し、ホログラムＨ２の金属蒸着膜は、第２のアンテナ２ｂを構成している。
なお、第２のアンテナ２は、導電性を有する導体であれば、ホログラムＨ１の金属蒸着膜に限定されないのは勿論である。
【００２１】
＜第２のアンテナ２(２ａ、２ｂ)の働き＞
図２は、第２のアンテナ２(２ａ、２ｂ)の働きを示した図であり、図２(ａ)は、第２のアンテナ２(２ａ、２ｂ)の実験条件を示す第２のアンテナ２(２ａ、２ｂ)の平面図、図２(ｂ)は、図２(ａ)の実験条件において、第２のアンテナ２ａの長さＬ１と第２のアンテナ２ｂの長さＬ２との和の長さ(横軸)に対する２．４ＧＨｚの周波数の電波での通信距離(縦軸)を示す図であり、図２(ｃ)は、第２のアンテナ２に対する第１のアンテナ１の位置を、第２のアンテナ２の長手方向端縁(Ant1 positon＝０)から移動させた時(横軸)の２．４ＧＨｚの周波数の電波での通信距離(縦軸)を示す図である。
【００２２】
ここで、図２(ｂ)、(ｃ)においては、(Ｌ１＋Ｌ２)を長辺(長手方向)とし、これの短辺方向の辺の長さＷをＷ＝４０ｍｍ、スロット２ｓの幅２ｓ1＝０．５ｍｍの第2のアンテナにおいて、実験を行っている。
図２(ｂ)に示すグラフから、(Ｌ１＋Ｌ２)が、２．４ＧＨｚの周波数の波長λの１／２の寸法において通信距離が最も大きい結果が得られた。
【００２３】
この結果より、λ／２でアンテナの利得が高くなるので、第２のアンテナ２は、ダイポールアンテナの働きをしており、第２のアンテナ２が第１のアンテナ１と静電容量結合により電気的に接続されていると推測される。すなわち、第２のアンテナ２における電界が静電容量結合で第１のアンテナ１に伝搬されていると考えられる。以下、この作用をダイポールモードと称する。
【００２４】
図２(ｃ)は、Ｌ１＋Ｌ２を長辺とし、これの短辺方向の辺の長さＷ＝４０ｍｍ，スロット幅２ｓ1＝０．５ｍｍの第２のアンテナにおいて、第１のアンテナ１の取り付け位置をほぼ長辺の際(長手方向の端縁)に取り付けたときを、Ant1 positon＝０（ｍｍ）、第２のアンテナの長手方向の中央に取り付けたとき、Ant1 positon＝２０（ｍｍ）、反対側の長辺(反対側の長手方向の端縁)に取り付けたときを、Ant1 positon＝４０（ｍｍ）としたときの通信距離(縦軸)を示している。
【００２５】
スロットアンテナと称される金属板の中央に細長い矩形の開口(長手方向寸法＝λ／２)をもつ（両端が閉じたスロット）アンテナでは開口の長手方向の給電位置によりその給電点のインピーダンスが変化する。すなわち、開口の長手方向の中央が高く、開口の長手方向の両端に近い方がインピーダンスが低くなる特性を有する。
これは、アンテナの給電位置のインピーダンスと給電側（例えば、ＩＣチップ）のインピーダンスが一致すればアンテナとの給電効率が向上し電波を効率良く放射することができる。すなわち、通信距離が延長されることを示す。
【００２６】
図２(ｃ)のグラフから、第1のアンテナ１の取り付け位置(横軸)により通信距離(縦軸)が変化していることが分る。
第１のアンテナ１の取り付け位置に対して、左右対称に通信距離(縦軸)が変化しており、スロットアンテナと同様な特性を呈しているので、第２のアンテナ２はスロットアンテナ的な特性を有している。
但し、第２のアンテナ２のスロット２ｓの両端が開放されているので、スロットアンテナ的という推測を用いている。以下、この作用をスロットモードと称する。
【００２７】
＜第２のアンテナ２のスロット２ｓの形成方法＞
次に、第２のアンテナ２のスロット２ｓの形成方法について説明する。
第２のアンテナ２のスロット２ｓの形成方法としては、例えば、第１の方法として、ホログラムＨを製造する際、Ａｌ、Ａｕ、Ｃｕ等の金属膜をＰＥＴ等の基材に蒸着するときに、スロット２ｓとになる箇所をマスクして、金属膜が蒸着しないようにする。すなわち、光反射層である金属蒸着膜をホログラムＨを構成する基材に形成するときに、スロット２ｓを形成する領域(非金属膜形成領域)をマスクし、スロット２ｓを形成する。
つまり、ホログラムＨにおける金属膜形成時にスロット部分を覆う、マスク法により形成する。
【００２８】
第２の方法として、ホログラムＨを構成する基材の全面に金属膜を形成し、レジストマスクによりスロット(２ｓ)形成部の金属膜を除去する。
図３は、ホログラムＨにスロット２ｓを形成する第３の方法を示す図であり、図３(ａ)は、第３の方法のホログラムＨの基材ｈ１を示す斜視図であり、図３(ｂ)は、図３(ａ)に示す基材ｈ１のＦ方向矢視図であり、図３(ｃ)は、図３(ｂ)に示す基材ｈ１の斜面ｈ２に金属膜ｋ１を形成したホログラムＨを示す図である。
【００２９】
第３の方法として、図３(ａ)に示すように、ホログラムＨを構成する基材ｈ１の表面に斜面ｈ２を複数形成する。
ここで、基材ｈ１の複数の斜面ｈ２は、基材ｈ１を形成する２つのロールの一方を滑らかな円筒面を有するロールとし、他方のロールの円筒面を複数の斜面ｈ２を形成する型形状にする。
そして、この滑らかな円筒面を有するロールと、複数の斜面ｈ２を形成する型形状の円筒面を有するロールとを用いて、基材ｈ１を形成することで、複数の斜面ｈ２が形成されるホログラムＨの基材ｈ１を製造できる。なお、基材ｈ１の厚さｓ１寸法は、例えば、１００μｍである。
【００３０】
そして、この複数の斜面ｈ２をもつ基材ｈ１に対して、図３(ｂ)の矢印α１に示すように、スパッタリング法などの異方性デポジションにより、斜め方向からＡｌ、Ａｕ、Ｓｎ等の金属を堆積させる。すると、図３(ｃ)に示すように、基材ｈ１の斜面ｈ２に金属膜ｋ１が形成されたホログラムＨが製造される。
なお、ホログラムＨの光反射層(金属膜ｋ１)厚さ寸法ｓ２は、５０〜１００ｎｍ(ナノメートル)であり、ほぼ１０〜１０００ｎｍの範囲とする。
このように、ホログラムＨにおいて、斜め方向より金属を堆積することにより、基材ｈ１の垂直部分(金属膜非形成部ｈ３)には金属膜ｋ１が形成されないので、電気的には斜面ｈ２の金属膜ｋ１とは分離され、電界が金属膜非形成部ｈ２を通過することができる。
【００３１】
そのため、基材ｈ１の斜面ｈ２に金属膜ｋ１をもつホログラムＨを、図１に示す無線ＩＣタグＴの情報の読取りに用いると、図３(ｃ)に示すように、リーダ／ライタ(図示せず)からの電波が、矢印α２1のように、ホログラムＨの斜面ｈ２の金属膜ｋ１に沿って進み、矢印α２２のように、金属膜非形成部ｈ３を通過して、矢印α２３のように、無線ＩＣタグＴの第１のアンテナ１に向けて進むことができる。
【００３２】
ここで、無線ＩＣタグＴと第２のアンテナ２との取り付け構造の全ての場合において、第２のアンテナ２を保持する基材が必要となる。
例えば、図３(ｃ)に示すように、第２のアンテナ２がホログラムＨの反射層であれば、ホログラムシールの本体の基材ｈ１(図３(ａ)参照)が相当する。基材ｈ１の第２のアンテナ面(図３(ａ)に示す金属膜ｋ１)に凹凸が形成されていて、光を散乱させてホログラムシールとして機能する。
【００３３】
＜他例の無線ＩＣタグＴと第２のアンテナ２との取り付け構造＞
次に、他例の無線ＩＣタグＴと第２のアンテナ２との取り付け構造を、図４を用いて説明する。
図４は、第１実施形態の他例の無線ＩＣタグＴと第２のアンテナ２とを物品Ｐ(図４(ｂ)に二点鎖線で示す)上に搭載した状態を示す図であり、図４(ａ)は、本発明に係わる第１実施形態の他例の無線ＩＣタグ２の取り付け構造の上面図であり、図４(ｂ)は、図４(ａ)のＣ−Ｃ線断面図である。
【００３４】
第１実施形態の他例の無線ＩＣタグＴの取り付け構造は、絶縁体の基材４の上の第１のアンテナ１の上にＩＣチップ３を実装した無線ＩＣタグＴを、粘着材５を介して、ＩＣチップ３側を物品Ｐに取り付けている。
一方、図４(ａ)、(ｂ)に示すように、スロット２ｓによって、第２のアンテナ２ａと第２のアンテナ２ｂとに分離された第２のアンテナ２を、樹脂等の基材６の上に搭載した第２のアンテナアッセンブリを形成する。
第２のアンテナ２を載せる基材６は、例えば、ＰＥＴ、ＰＰ(Polypropylene)（厚さ１０〜１００μｍ）が使用される。
保護層７(図４(ｂ)参照)は、第２のアンテナ２（２ａ、２ｂ）の保護をする層で、第１のアンテナを保持する粘着材やＰＥＴ、ＰＰ等の樹脂フィルムを用いる。
【００３５】
そして、この第２のアンテナアッセンブリを、第２のアンテナ２(２ａ、２ｂ)が、物品Ｐに取り付けられた無線ＩＣタグＴの第１のアンテナ１に重なるとともに、第２のアンテナ２のスロット２ｓが、ＩＣチップ３と第１のアンテナ１のＬ型スリット１ｓとに重ならないように、保護層７を用いて、物品Ｐに取り付けられた無線ＩＣタグＴの絶縁体の基材４に搭載している。
【００３６】
或いは、第1のアンテナ１の形成方法の別形態として、基材６に第２のアンテナ２(２ａ、２ｂ)が形成され、第２のアンテナ(２ａ、２ｂ)面に絶縁層となる保護層７が形成され第２のアンテナアッセンブリの保護層７の面上に直接銀等の導電性ペーストを用いて第１のアンテナ１を印刷し、ＩＣチップ３を第１のアンテナ１上に実装することもできる。
印刷の際には、第２のアンテナ２(２ａ、２ｂ)のスロット２ｓが、ＩＣチップ３と第１のアンテナ１のＬ型スリット１ｓとに重ならないように位置を調整して印刷する。
【００３７】
ここで、無線ＩＣタグＴの取り付け構造の全ての場合において、第２のアンテナ２を保持する基材が必要となる。
第２のアンテナ２が、例えば、図４に示す平坦な金属膜のシール（金属シール）であれば、基材６は第２のアンテナ２の保持機能だけになる。
【００３８】
＜作用効果＞
上記第１実施形態の構成によれば、無線ＩＣタグＴのＩＣチップ３および第１のアンテナ１におけるインピーダンス整合回路のＬ型スリット１ｓが露出しなくなり、意匠性が向上し、デザインに対する制限がなくなり、デザイン自由度が向上する。
また、無線ＩＣタグＴのＩＣチップ３を第２のアンテナ２で隠蔽でき、ＩＣチップ３の保護が行える。
【００３９】
さらに、第1のアンテナ１と第２のアンテナ２を重ねて動作させることができるため、任意形状の第２のアンテナを再設計無しで、既存のもので対応することができる。
また、図３(ｃ)に示す構成により、ユーザには、ホログラムＨの複数の斜面ｈ２が主に目視され(図３(ｃ)の紙面上側からユーザの視線が向けられる)、金属膜非形成部ｈ３がユーザの視線から外れ隠れることになる。そのため、第２のアンテナ２のスロット２ｓが目立たず、意匠性の向上が図れる。
【００４０】
＜第１実施形態の変形形態１＞
次に、第１実施形態の変形形態１について、図５を用いて説明する。
なお、図５(ａ)は、第１実施形態の変形形態１の図１(ｂ)のＢ方向矢視図であり、図５(ｂ)は、図５(ａ)の第２のアンテナ２２を示す平面図である。
変形形態１は、図５(ａ)に示すように、第１のアンテナ２１と第２のアンテナ２２との対向面積を増加させることにより電気的接合面積を増加させ、リーダ・ライタ(図示せず)と無線ＩＣタグ２Ｔとの通信距離を延長したものである。
これ以外の構成は、第１実施形態と同様な構成なので、同様な構成については説明を省略する。
【００４１】
変形形態１における第２のアンテナ２２は、図５(ｂ)に示すように、第１実施例の第２のアンテナ２(２ａ、２ｂ)(図１(ａ)参照)と同様な構成として、第２のアンテナ２２ａと第２のアンテナ２２ｂとを、スロット２２ｓを介して、分離させる。
すなわち、変形形態１の第２のアンテナ２２ａが第１実施形態の第２のアンテナ２ａに相当し、変形形態１の第２のアンテナ２２ｂが第１実施形態の第２のアンテナ２ｂに相当し、また、変形形態１のスロット２２ｓが第１実施形態のスロット２ｓに相当する。
図５(ａ)に示すように、無線ＩＣタグ２Ｔの基材２４は、第２のアンテナ２２ａに対向する第１基材部２４ａと第２のアンテナ２２ａ、２２ｂに対向する第２基材部２４ｂとを有する略Ｌ字状に形成する。
【００４２】
そして、基材２４に搭載される第１のアンテナ２１も同様に、第２のアンテナ２２ａ上に配置される第１のアンテナ２１ａと、第２のアンテナ２２ａ、２２ｂ上に配置される第１のアンテナ２１ｂとを有する略Ｌ字状に形成する。
この際、無線ＩＣタグ２ＴのＩＣチップ２３および第１のアンテナ２１のＬ型スリット２１ｓ(インピーダンス整合回路)を第２のアンテナ２２ａ、２２ｂ間のスロット２２ｓに重ならないように配置している。
上記変形形態１の構成によれば、第１実施形態の作用効果に加え、第１のアンテナ２１と第２のアンテナ２２との対向面積、すなわち電気的な接合面積が増加するので、リーダ／ライタ(図示せず)と無線ＩＣタグ２Ｔとの通信距離を延長することが可能である。
【００４３】
図６は、図５に示す変形形態１のスロット２２ｓを変更した他例を示したものであり、図６(ａ)は、第１実施形態の変形形態１の他例の第２のアンテナ２２′を示す平面図であり、図６(ｂ)は、第１実施形態の変形形態１の他例の図１(ｂ)のＢ方向矢視図である。
図６に示す変形形態１の他例は、図６(ａ)に示すように、第２のアンテナ２２′にスロット２２ｓ2′を追加して形成し、第２のアンテナ２２′の両端部にスロット２２ｓ1′、２２ｓ2′を形成し、より好ましくは、対称、若しくはほぼ対称な位置に、スロット２２ｓ1′、２２ｓ2′を形成したものである。
これにより、第２のアンテナ２２′は、スロット２２ｓ1′を挟んで第２のアンテナ１領域２２ａ′、第２のアンテナ２領域２２ｂ′に分割され、スロット２２ｓ2′を挟んで第２のアンテナ２領域２２ｂ′、第２のアンテナ３領域２２ｃ′に分割される。
【００４４】
そして、図６(ｂ)に示すように、第１のアンテナ２１′の第１のアンテナ１領域２１ａ′を、第２のアンテナ２２′(図７(ａ)参照)の短手方向に沿って形成し第２のアンテナ１領域２２ａ′に対向して重ねて配置するとともに、第１のアンテナ１領域２１ａ′に続く第１のアンテナ２領域２１ｂ′を、第２のアンテナ２２′(図７(ａ)参照)の長手方向に沿って形成し、第２のアンテナ１、２、３領域２２ａ′、２２ｂ′、２２ｃ′に対向して重ねて配置し、また、第１のアンテナ２領域２１ｂ′に続く第１のアンテナ３領域２１ｃ′を、第２のアンテナ２２′(図７(ａ)参照)の短手方向に沿って形成し第２のアンテナ３領域２２ｃ′に対向して重ねて配置している。
この際、無線ＩＣタグ２Ｔ′のＩＣチップ２３′および第１のアンテナ２１′のＬ型スリット２１ｓ′(インピーダンス整合回路)を第２のアンテナ１、２、３領域２２ａ′、２２ｂ′、２２ｃ′間のスロット２２ｓ1′、２２ｓ2′に重ならないように配置している。
【００４５】
上記変形形態１の他例によれば、第２のアンテナ２２′の両端部にスロット２２ｓ1′、２２ｓ2′を形成することにより、第２のアンテナ２２の長さを長くすることができ、すなわち、第２のアンテナ１領域２２ａ′、第２のアンテナ２領域２２ｂ′、第２のアンテナ３領域２２ｃ′のそれぞれの長手方向の長さが長くなり、通信距離が延びる。
また、第２のアンテナ２２′に対称、若しくは、ほぼ対称な位置にスロット２２ｓ1′、２２ｓ2′を形成することにより、スロット２２ｓ1′、２２ｓ2′を目立たなくでき、意匠性が向上する。
【００４６】
また、第２のアンテナ２２′の長さを一定とすれば第２のアンテナ２２′の形状を小さくすることができ、適用範囲を拡大することができる。
例えば、第２のアンテナ２２′をホログラムシールで形成した場合、ホログラムシールを小さくすることができ、適用範囲を拡大することができる。
加えて、第２のアンテナ２２′の長さを長くでき通信距離が延びるとともに、第２のアンテナ２２′を小さくすることができることから、小型化が可能となる。
【００４７】
なお、上記変形形態１の他例においては、第２のアンテナ２２′の第２のアンテナ１領域２２ａ′、第２のアンテナ２領域２２ｂ′、第２のアンテナ３領域２２ｃ′をそれぞれ分割した場合を例示して説明したが、第２のアンテナ１領域２２ａ′と第２のアンテナ２領域２２ｂ′とが一部で接続され、または／および、第２のアンテナ２領域２２ｂ′と第２のアンテナ３領域２２ｃ′とが一部で接続される構成とすることも可能である。
【００４８】
＜第１実施形態の変形形態２＞
次に、第１実施形態の変形形態２について、図７、図８を用いて説明する。
なお、図７(ａ)は、第１実施形態の変形形態２の図１(ｂ)のＢ方向矢視図であり、図７(ｂ)は、図７(ａ)の第２のアンテナ３２を示す平面図である。
変形形態２は、第１実施形態における第２のアンテナ２のスロット３２ｓ(図１参照)を目立たなくするために、複数のスロット３２ｓ1、３２ｓ2、３２ｓ3、…として構成したものである。
これ以外の構成は、第１実施形態と同様な構成なので、同様な構成については説明を省略する。
【００４９】
変形形態２のスロット３２ｓは、図７(ｂ)に示すように、第２のアンテナ３２ａの領域に複数のスロット３２ｓ1、３２ｓ2、３２ｓ3を形成し、また第２のアンテナ３２ａ、３２ｂ間にスロット３２ｓ4を形成している。
従って、第２のアンテナ３２ａは、第２のアンテナ１領域３２ａ1、第２のアンテナ２領域３２ａ2、第２のアンテナ３領域３２ａ3、および第２のアンテナ４領域３２ａ4に分割されている。
【００５０】
そして、図７(ａ)に示すように、この第２のアンテナ３２ａ、３２ｂに対向して、無線ＩＣタグ３Ｔを配置している。
なお、第２のアンテナ３２ａ1、３２ａ2、３２ａ3、３２ａ4間の距離であるスロット３２ｓ1、３２ｓ2、３２ｓ3の幅寸法ｓ３とスロット３２ｓ４の幅寸法ｓ３は、広い方が電気的には有利であるが、ほぼ１００μｍとればよい。
【００５１】
上記変形形態２の構成によれば、第２のアンテナ３２ａにもスロット３２ｓ1、３２ｓ2、３２ｓ3が形成されるので、ユーザが第２のアンテナ３２を目視した場合、スロットの存在が広がることから第２のアンテナ３２のコントラストの変化を低減でき、スロットがユーザの目につき難くなり、意匠性が向上する。
図８は、図７に示す変形形態２のスロット３２ｓ1、３２ｓ2、３２ｓ3の位置を変更した例を示したものであり、図８(ａ)は、第１実施形態の変形形態２の他例の図１(ｂ)のＢ方向矢視図であり、図８(ｂ)は、図８(ａ)の第２のアンテナ３２を示す平面図である。
【００５２】
図８に示す変形形態２の他例は、スロット３２ｓ1、３２ｓ2、３２ｓ3を第２のアンテナ３２ａの領域に代替して、第２のアンテナ３２ｂの領域に形成したものである。
これ以外の構成は、第１実施形態の変形形態２と同様であるので、説明を省略する。
なお、上述した第１実施形態においては、物品Ｐが金属製品よりも樹脂製品のほうが、通信の性能上良好な結果が得られる。これは、第２のアンテナ２のスロット２ｓが両端で開放され第２のアンテナ２が分割されていることに起因すると推測される。
【００５３】
＜＜第２実施形態＞＞
次に、第２実施形態について、図９を用いて説明する。
なお、図９(ａ)は、第２実施形態の図１(ｂ)のＢ方向矢視図であり、図９(ｂ)は、図９(ａ)の第２のアンテナ４２を示す平面図である。
第２実施形態は、例えば、ホログラムが楕円形状の場合が多いため、第２のアンテナ４２を平面視で正方形に近い形状に構成したものである。
これ以外の構成は、第１実施形態と同様な構成なので、同様な構成については説明を省略する。
【００５４】
第２実施形態は、図９(ｂ)に示すように、第２のアンテナ４２を、略直角方向に延在する略Ｌ字状のスロット４２ｓを介在させて、略Ｌ字状の第２のアンテナ４２ａと、略正方形状の第２のアンテナ４２ｂとで構成し、第２のアンテナ４２全体を略正方形状にしたものである。
このため、略Ｌ字状の第２のアンテナ４２ａは、Ｌ字状を形成する第２のアンテナ１領域４２ａ1と第２のアンテナ２領域４２ａ2とを有し構成されている。
【００５５】
そして、図９(ａ)に示すように、無線ＩＣタグ４Ｔの第１のアンテナ４１を、第２のアンテナ４２に重ねるとともに、無線ＩＣタグ４ＴのＩＣチップ４３および第1のアンテナ４１のＬ型スリット４１ｓが、第２のアンテナ４２の略Ｌ字状のスロット４２ｓに重ならないようにして、無線ＩＣタグ４Ｔを第２のアンテナ４２に対して配置している。
すなわち、無線ＩＣタグ４ＴのＩＣチップ４３および第1のアンテナ４１のＬ型スリット４１ｓは、略Ｌ字状のスロット４２ｓを避けて、第２のアンテナ４２に対向させて配置している。
【００５６】
＜作用効果＞
上記第２実施形態の構成によれば、無線ＩＣタグ４Ｔの取り付け構造が略正方形であるので、楕円形状が多いホログラムを第２のアンテナとして用いることが可能である。
また、スロット４２ｓが略Ｌ字状であり、長手方向の寸法が略Ｌ字状に沿ってかせげるので、第２のアンテナ４２がスロットモードで働いているとした場合、開口の長さが長くできるので、無線ＩＣタグ４Ｔの通信距離を長くできる。
【００５７】
或いは、第２のアンテナ４２がダイポールモードで働いているとした場合、第２のアンテナ４２ａが略Ｌ字状であり、長手方向の寸法が略Ｌ字状に沿ってかせげ、第２のアンテナ４２(４２ａ、４２ｂ)が全体として長くできるので、ダイポールアンテナは長い方が効率が良いので、効率が良くなる。
なお、図９においては、第２のアンテナ４２を、略正方形状の第２のアンテナ４２ｂと、これを囲む略Ｌ字状の第２のアンテナ４２ａとで形成される場合を例示して説明したが、分割された一方の第２のアンテナ４２ａが、スロット４２ｓ(第２空隙)を介在させて、分割された他方の第２のアンテナ４２ｂの周囲の一部を囲んで形成されれば、図９に示した構成に限定されないのは勿論である。
【００５８】
＜第２実施形態の変形形態１＞
次に、第２実施形態の変形形態１について、図１０を用いて説明する。
なお、図１０は、第２実施形態の変形形態１の図１(ｂ)のＢ方向矢視図である。
第２実施形態の変形形態１においては、第２のアンテナ５２と無線ＩＣタグ５Ｔの第１のアンテナ５１とが対向する面積を増加させ、第２のアンテナ５２と第１のアンテナ５１との電気的な接合面積を増加させた構成である。
これ以外の構成は、第２実施形態と同様であるから詳細な説明は省略する。
【００５９】
第２実施形態の変形形態１の第２のアンテナ５２は、第２実施形態の第２のアンテナ４２と同様な構成としている。よって、第２実施形態の第２のアンテナ４２の４０番台の符号を５０番台の符号５２を付して示す。
図１０に示すように、無線ＩＣタグ５Ｔの基材５４は、ほぼ第２のアンテナ５２ａに対向して配置される第１基材部５４ａと、スロット４２ｓを介在させてほぼ第２のアンテナ５２ｂに対向して配置される第２基材部５４ｂとを有する略Ｌ字状に形成されている。
【００６０】
この基材５４に搭載される第１のアンテナ５１は、略Ｌ字状の基材５４に沿った形状であり、第１基材部５４ａ上に搭載されるアンテナ１領域５１ａと、第２基材部５４ｂ上に搭載されるアンテナ２領域５１ｂとを有する略Ｌ字状に形成されている。
これにより、第１のアンテナ５１のアンテナ１領域５１ａをほぼ第２のアンテナ５２ａに対向して配置し、第１のアンテナ５１のアンテナ２領域５１ｂをほぼ第２のアンテナ５２ｂに対向して配置することができる。
【００６１】
このように、無線ＩＣタグ５Ｔの第１のアンテナ５１が第２のアンテナ５２に対向して重なるとともに、無線ＩＣタグ５ＴのＩＣチップ５３および第1のアンテナ５１のＬ型スリット５１ｓが第２のアンテナ５２の略Ｌ字状のスロット５２ｓに対向せず重ならないようにしている。
【００６２】
上記第２実施形態の変形形態１の構成によれば、第２のアンテナ５２と無線ＩＣタグ５Ｔの第１のアンテナ５１とが対向する面積を増加することで第２のアンテナ５２と第１のアンテナ５１との電気的な接合面積が増加するので、第２のアンテナ５２と第１のアンテナ５１との間の電気的接合が強化され、無線ＩＣタグ５Ｔの通信距離を延長することができる。
【００６３】
＜第２実施形態の変形形態２＞
次に、第２実施形態の変形形態２について、図１１を用いて説明する。
なお、図１１は、第２実施形態の変形形態２の図１(ｂ)のＢ方向矢視図である。
第２実施形態の変形形態２は、第１のアンテナ６１と第２のアンテナ６２との形状と配置により、無線ＩＣタグ６Ｔに記録された情報を、直線偏波のアンテナを装着したリーダ／ライタ(図示せず)でも直角の２方向から読み取りできる構成としたものである。
これ以外の構成は、第２実施形態と同様であるから詳細な説明は省略する。
【００６４】
第２実施形態の変形形態２の第２のアンテナ６２は、第２実施形態の第２のアンテナ４２と同様な構成としている。よって、第２実施形態の第２のアンテナ４２の４０番台の符号を６０番台の符号を付して示す。
図１１に示すように、無線ＩＣタグ６Ｔの基材６４は、スロット６２ｓを介在して、第２のアンテナ６２ａ1および第２のアンテナ６２ｂに対向して配置される第１基材部６４ａと、第２のアンテナ６２ａ2および第２のアンテナ６２ｂに対向して配置される第２基材部６４ｂとを有する略Ｌ字状に形成されている。
【００６５】
第１のアンテナ６１は、略Ｌ字状の基材６４に沿った略直角の略Ｌ字状の形状であり、第１基材部６４ａ上に搭載されるアンテナ１領域６１ａと、第２基材部６４ｂ上に搭載されるアンテナ２領域６１ｂとを有する略Ｌ字状に形成されている。
これにより、第１のアンテナ６１のアンテナ１領域６１ａを第２のアンテナ６２ａ1および第２のアンテナ６２ｂに対向して配置し、第１のアンテナ６１のアンテナ２領域６１ｂを第２のアンテナ６２ａ2および第２のアンテナ６２ｂに対向して配置している。
【００６６】
また、第１のアンテナ６１のアンテナ１領域６１ａを第２のアンテナ６２ａの略Ｌ字状のスロット６２ｓ1(６２ｓ)(第２空隙１)に対向して重ね、第１のアンテナ６１のアンテナ２領域６１ｂを第２のアンテナ６２ａの略Ｌ字状のスロット６２ｓ2(６２ｓ)(第２空隙２)に対向し重ねている。
このように、無線ＩＣタグ６Ｔの第１のアンテナ６１が第２のアンテナ６２に対向して重なるとともに、無線ＩＣタグ６ＴのＩＣチップ６３および第1のアンテナ６１のＬ型スリット６１ｓが第２のアンテナ６２の略直角方向に延在する略Ｌ字状のスロット６２ｓに重ならないようにしている。
【００６７】
上記第２実施形態の変形形態２の構成によれば、無線ＩＣタグ６Ｔの第１のアンテナ６１が略直角の略Ｌ字状の形状であり、直角に第２のアンテナ６２および第２のアンテナ６２におけるスロット６２ｓを横切るので、直線偏波のアンテナを装着したリーダ／ライタ(図示せず)でも直角の２方向から無線ＩＣタグ６Ｔに記録される情報を読むことができる。
【００６８】
＜＜第３実施形態＞＞
次に、第３実施形態について、図１２を用いて説明する。
なお、図１２(ａ)は、第３実施形態の図１(ｂ)のＢ方向矢視図であり、図１２(ｂ)は、図１２(ａ)の第２のアンテナ７２を示す平面図である。
第３実施形態は、第１実施形態の第２のアンテナ２ａ、２ｂを連続して構成したものである。
これ以外の構成は、第１実施形態と同様であるから、同様な構成については説明を省略する。
【００６９】
第３実施形態の第２のアンテナ７２は、図１２(ａ)、(ｂ)に示すように、スロット７２ｓを介在させて、第２のアンテナ１領域７２ａと第２のアンテナ２領域７２ｂとに分離し、この第２のアンテナ１領域７２ａと第２のアンテナ２領域７２ｂとを、無線ＩＣタグ７Ｔに対向しない位置に配置される第２のアンテナ３領域７２ｃを介して、連続させて構成している。
そして、図１２(ａ)に示すように、第１のアンテナ７１を第２のアンテナ７２に対向させて重ねて配置するとともに、無線ＩＣタグ７ＴのＩＣチップ７３および第１のアンテナ７１のＬ型スリット７１ｓが第２のアンテナ７２におけるスロット７２ｓに対向させることなく重ねず配置している。
【００７０】
＜作用効果＞
上記第３実施形態の構成によれば、第１実施形態の作用効果に加え、第２のアンテナ７２が第２のアンテナ３領域７２ｃを介して一体に構成されるので、ダイポールモードの作用が強化され、無線ＩＣタグ７Ｔが取り付けられる物品Ｐが樹脂の場合のみならず、金属の場合においても、無線ＩＣタグ７Ｔの機能を発揮することができる。
【００７１】
＜第３実施形態の変形形態１＞
次に、第３実施形態の変形形態１について、図１３を用いて説明する。
なお、図１３(ａ)は、第３実施形態の変形形態１の図１(ｂ)のＢ方向矢視図であり、図１３(ｂ)は、図１３(ａ)の第２のアンテナ８２を示す平面図である。
第３実施形態の変形形態１は、第３実施形態における第２のアンテナ７２のスロット７２ｓ(図１参照)をユーザに目立たなくするために、複数のスロット８２ｓ1、８２ｓ2、８２ｓ3、…として構成したものである。
これ以外の構成は、第３実施形態と同様な構成なので、同様な構成については説明を省略する。
【００７２】
変形形態１の第２のアンテナ８２におけるスロット８２ｓは、図１３(ｂ)に示すように、第３実施形態と同様なスロット８２ｓ1に加え、第２のアンテナ８２ｂの領域に複数のスロット８２ｓ2、８２ｓ3、８２ｓ4を形成している。
そして、分離された第２のアンテナ１領域８２ａと第２のアンテナ２領域８２ｂとを、無線ＩＣタグ８Ｔに対向しない位置に配置される第２のアンテナ３領域８２ｃを介して、連続させて構成している。
【００７３】
上記変形形態１の構成によれば、第２のアンテナ８２にもスロット８２ｓ2、８２ｓ3、８２ｓ4が形成されるので、ユーザが第２のアンテナ８２を目視した場合、スロットの存在が広がることから、第２のアンテナ８２のコントラストの変化を低減でき、スロットがユーザの目につき難くなり、意匠性が向上する。
【００７４】
＜＜第４実施形態＞＞
次に、第４実施形態について、図１４、図１５を用いて説明する。
図１４(ａ)は、第４実施形態の無線ＩＣタグ９Ｔをすき込んだＩＣチップ実装の媒体９Ｐを示す斜視図であり、図１４(ｂ)は、図１４(ａ)のＤ−Ｄ線断面図である。
図１５(ａ)は、図１４(ａ)に示す無線ＩＣタグ９Ｔをすき込んだ紙等のＩＣチップ実装の媒体９Ｐに対向させて第２のアンテナ９２であるホログラム９Ｈを配置した斜視図であり、図１５(ｂ)は、図１５(ａ)のＥ−Ｅ線断面図である。
【００７５】
第４実施形態は、無線ＩＣタグ９Ｔをすき込んだ紙等の媒体９Ｐに対向させて第２のアンテナ９２であるホログラム４Ｈを配置したものである。
図１４(ａ)、(ｂ)に示すように、重要書類や証明書等の媒体９Ｐは、偽造防止、管理等を目的として、内部に情報を記録した無線ＩＣタグ９Ｔがすき込まれる。
そして、図１５(ａ)、(ｂ)に示すように、製紙工程で無線ＩＣタグ９Ｔを実装した厚さ１５０μｍの用紙の媒体９Ｐの表面に、実装した無線ＩＣタグ９Ｔの第１のアンテナ９１と第２のアンテナ９２(９２ａ、９２ｂ)が重なるように、第２のアンテナ９２であるホログラム９Ｈ(ホログラムシール又はホログラム箔)を取り付ける。
【００７６】
ここで、図１５(ｂ)に示すように、重要書類や証明書の紙等の媒体９Ｐが、無線ＩＣタグ９Ｔの第１のアンテナ９１と第２のアンテナ９２であるホログラム９Ｈとの間の絶縁層を形成する。
ホログラムシール(ホログラム９Ｈ(９２))は、その裏面に接着層を形成し、これにより媒体９Ｐに固着させる。
或いは、ホログラム９Ｈがホログラム箔の場合には、箔加工されたホログラム９Ｈを用紙(媒体９９)に熱圧着により固着させる。
すなわち、無線ＩＣタグ９Ｔの実装方法としては、基材上に形成された第１のアンテナ９１にＩＣチップ９３を実装した個片を製紙工程で漉き込む(図１４参照)、または、２枚以上の紙(９Ｐ)の間に挿入する方法がある。
【００７７】
或いは、無線ＩＣタグ９Ｔの実装方法の別形態として、無線ＩＣタグ９Ｔ(図１４参照)を製紙工程で漉き込むとき、幅２〜５ｍｍの樹脂製や紙製のテープ状のスレッドに所望の間隔で無線ＩＣタグ９Ｔを連続的に配置したスレッド(９４)(図１５参照)を用いることより、高速に無線ＩＣタグ９Ｔを漉き込むことができる。この場合、無線ＩＣタグ９Ｔの基材９４(図１５(ｂ)中、二点鎖線で示す)はスレット材料となる。
こうして、ＩＣチップ９３と第１のアンテナ９１を有する無線ＩＣタグ９Ｔを実装した細いテープ状のスレッド(９４)を製紙工程で漉き込む、または２枚以上の紙(９Ｐ)の間に挿入する。
【００７８】
＜作用効果＞
上記第４実施形態によれば、媒体９Ｐに埋設された無線ＩＣタグ９Ｔに対向してホログラム９Ｈを配置することで、ホログラム９Ｈの金属蒸着層を第２のアンテナ９２として用いることができる。
従って、無線ＩＣタグ９Ｔに記録された情報による重要書類や証明書等の媒体９Ｐの偽造防止効果に加え、ホログラム９Ｈによる偽造防止効果が得られるとともに、ホログラム９Ｈによる装飾性を付加することができる。
また、ホログラム９Ｈとしてホログラム箔を用いると、ホログラム箔が薄膜のため剥離することは困難で、より偽造防止性を高めることが可能である。
【００７９】
なお、第１実施形態から第４実施形態においては、第１実施形態から第４実施形態の各構成をそれぞれ個別に説明したが、第１実施形態から第４実施形態の各構成を適宜、組み合わせて構成することも可能である。これにより、組み合わせの作用効果が得られる。
なお、物品Ｐ、媒体９Ｐは、金属、樹脂、重要書類や証明書等の紙媒体を例示して説明したが、これ以外の全ゆる固体に適宜適用できることは勿論である。
【００８０】
また、第１実施形態から第４実施形態においては、無線ＩＣタグを、情報が読み取りのみ可能な無線ＩＣタグとして説明しているが、本発明は、読み取り、書き込み可能な無線ＩＣタグにも適用できるのは勿論である。
また、実施形態で例示した２ｓ1、ｓ１、ｓ２、ｓ３等を含む種々の寸法は一例を示したものであり、例示した寸法に限定されないのは勿論である。
【図面の簡単な説明】
【００８１】
【図１】(ａ)は、本発明に係わる第１実施形態の無線ＩＣタグを物品Ｐ上に搭載した状態の上面図であり、(ｂ)は、(ａ)のＡ−Ａ線断面図であり、(ｃ)は、(ｂ)のＢ方向矢視図である。
【図２】(ａ)は、第２のアンテナの実験条件を示す第２のアンテナの平面図、(ｂ)は、(ａ)の実験条件において、第２のアンテナ２ａの長さＬ１と第２のアンテナ２ｂの長さＬ２との和の長さ(横軸)に対する２．４ＧＨｚの周波数の電波での通信距離(縦軸)を示す図であり、(ｃ)は、第２のアンテナに対する第１のアンテナの位置を、第２のアンテナ２の長手方向端縁(Ant1 positon＝０)から移動させた時(横軸)の２．４ＧＨｚの周波数の電波での通信距離(縦軸)を示す図である。
【図３】(ａ)は、ホログラムにスロットを形成する第３の方法のホログラムの基材を示す斜視図であり、(ｂ)は、(ａ)に示す基材のＦ方向矢視図であり、(ｃ)は、(ｂ)に示す基材の斜面に金属膜を形成したホログラムを示す図である。
【図４】(ａ)は、本発明に係わる第１実施形態の他例の無線ＩＣタグの取り付け構造の上面図であり、(ｂ)は、(ａ)のＣ−Ｃ線断面図である。
【図５】(ａ)は、第１実施形態の変形形態１の図１(ｂ)のＢ方向矢視図であり、(ｂ)は、(ａ)の第２のアンテナを示す平面図である。
【図６】(ａ)は、第１実施形態の変形形態１の他例の第２のアンテナを示す平面図であり、図６(ｂ)は、第１実施形態の変形形態１の他例の図１(ｂ)のＢ方向矢視図である。
【図７】(ａ)は、第１実施形態の変形形態２の図１(ｂ)のＢ方向矢視図であり、(ｂ)は、(ａ)の第２のアンテナを示す平面図である。
【図８】(ａ)は、第１実施形態の変形形態２の他例の図１(ｂ)のＢ方向矢視図であり、(ｂ)は、(ａ)の第２のアンテナを示す平面図である。
【図９】(ａ)は、第２実施形態の図１(ｂ)のＢ方向矢視図であり、(ｂ)は、(ａ)の第２のアンテナを示す平面図である。
【図１０】第２実施形態の変形形態１の図１(ｂ)のＢ方向矢視図である。
【図１１】第２実施形態の変形形態２の図１(ｂ)のＢ方向矢視図である。
【図１２】(ａ)は、第３実施形態の図１(ｂ)のＢ方向矢視図であり、(ｂ)は、(ａ)の第２のアンテナを示す平面図である。
【図１３】(ａ)は、第３実施形態の変形形態１の図１(ｂ)のＢ方向矢視図であり、(ｂ)は、(ａ)の第２のアンテナを示す平面図である。
【図１４】(ａ)は、第４実施形態の無線ＩＣタグをすき込んだＩＣチップ実装の媒体を示す斜視図であり、(ｂ)は、(ａ)のＤ−Ｄ線断面図である。
【図１５】(ａ)は、第４実施形態の図１４(ａ)に示す無線ＩＣタグをすき込んだ紙等のＩＣチップ実装の媒体に対向させて第２のアンテナであるホログラムを配置した斜視図であり、(ｂ)は、(ａ)のＥ−Ｅ線断面図である。
【図１６】(ａ)および(ｂ)は、従来のダイポールアンテナを使用した無線ＩＣタグとホログラムを物品に取り付けた構成例を示す斜視図である。
【符号の説明】
【００８２】
１      第１のアンテナ
１ｓ    Ｌ型スリット(第１空隙)
２      第２のアンテナ
２ａ    第２のアンテナ
２ｂ    第２のアンテナ
２ｓ    スロット(第２空隙)
３      ＩＣチップ
２１    第１のアンテナ(曲がった第１のアンテナ)
２２ｓ1′  スロット(第２空隙)
２２ｓ2′  スロット(第２空隙)
３２ｓ1  スロット(複数の第１空隙)
３２ｓ2  スロット(複数の第１空隙)
３２ｓ3  スロット(複数の第１空隙)
３２ｓ4  スロット(複数の第１空隙)
４２ａ  Ｌ字状の第２のアンテナ(一方の第２のアンテナ)
４２ｂ  第２のアンテナ(他方の第２のアンテナ)
６２ｓ1  略Ｌ字状のスロット(第２空隙１)
６２ｓ2  略Ｌ字状のスロット(第２空隙２)
７２ｃ  第２のアンテナ３領域(接続部)
８２ｓ1  スロット(複数の第１空隙)
８２ｓ2  スロット(複数の第１空隙)
８２ｓ3  スロット(複数の第１空隙)
８２ｓ4  スロット(複数の第１空隙)
９Ｐ    媒体(管理媒体(内)、紙媒体)
Ｈ１    ホログラム(第２のアンテナ)
Ｈ２    ホログラム(第２のアンテナ)
Ｐ      物品(管理媒体(外))
Ｔ      無線ＩＣタグ
【図１】
2010124274.tif 000003
【図２】
2010124274.tif 000004
【図３】
2010124274.tif 000005
【図４】
2010124274.tif 000006
【図５】
2010124274.tif 000007
【図６】
2010124274.tif 000008
【図７】
2010124274.tif 000009
【図８】
2010124274.tif 000010
【図９】
2010124274.tif 000011
【図１０】
2010124274.tif 000012
【図１１】
2010124274.tif 000013
【図１２】
2010124274.tif 000014
【図１３】
2010124274.tif 000015
【図１４】
2010124274.tif 000016
【図１５】
2010124274.tif 000017
【図１６】
2010124274.tif 000018